(57)【要約】  【課題】タイマ時刻を設定し直すことなく簡単に、負荷を直ぐに所定時間オンにし、その所定時間の経過後に負荷を自動でオフにするとともに、負荷の電源の消し忘れを防止する。  【解決手段】負荷をオン／オフにする入操作／切操作をするための操作部２ｃと、操作時点から切タイマ時間後に負荷をオフにする切タイマ操作をするための操作部２ｄとをタイムスイッチに設け、器体１内に電子回路部を設けた。電子回路部は、入操作／切操作に応じてリレーをオン／オフにすることにより、負荷をオン／オフにするほか、タイマ時刻による動作並びに入操作／切操作に応じた動作よりも優先させて、切タイマ操作に応じてこの操作時点から切タイマ時間の間およびこの切タイマ時間の経過後にそれぞれリレーをオンおよびオフにすることにより、切タイマ時間の間およびこの切タイマ時間の経過後に負荷をそれぞれオンおよびオフにする。【選択図】図１
2005308496.tif 000002
【特許請求の範囲】
【請求項１】
負荷および交流電源に接続される複数の端子部と、これら複数の端子部と電気的に接続されて前記負荷と前記交流電源との間に介設されるスイッチ素子を含み、自動オン，オフの所定のタイマ時刻に合わせて、前記スイッチ素子をオン，オフにすることにより、前記負荷を自動でオン，オフにする電子回路部とにより構成され、取付枠に取り付けられて壁に埋設されるタイムスイッチであって、
前記負荷をオンにする入操作または前記負荷をオフにする切操作をするための入／切操作部と、操作時点から所定の切タイマ時間後に前記負荷をオフにする切タイマ操作をするための切タイマ操作部とを備え、
前記電子回路部は、前記入／切操作部に対する入操作または切操作に応じて、前記スイッチ素子をオンまたはオフにすることにより、前記負荷をオンまたはオフにするほか、前記タイマ時刻に合わせて前記スイッチ素子をオン，オフにする動作並びに前記入操作または前記切操作に応じて前記スイッチ素子をオンまたはオフにする動作よりも優先させて、前記切タイマ操作部に対する切タイマ操作に応じて、この切タイマ操作時点から前記切タイマ時間の間およびこの切タイマ時間の経過後にそれぞれ前記スイッチ素子をオンおよびオフにすることにより、前記切タイマ時間の間およびこの切タイマ時間の経過後に前記負荷をそれぞれオンおよびオフにする
ことを特徴とするタイムスイッチ。
【請求項２】
前面に開口を有する形状のボディおよびこの開口を閉塞するカバーにより構成されて、前記複数の端子部および前記電子回路部を内部に収納し、前記取付枠に取り付けられて壁に埋設される器体と、
液晶表示窓、並びに前記入／切操作部および前記切タイマ操作部を含む複数の操作部を有し、前記器体のカバーの前面側に取り付けられる化粧カバーとを備え、
前記器体のカバーは、前記化粧カバーの液晶表示窓の後方に窓孔を有するとともに、前記化粧カバーの複数の操作部の後方に、スリットにより三方が囲繞されて前後方向に撓む複数の撓み部をそれぞれ有し、
前記電子回路部は、前記器体のカバーの窓孔および複数の撓み部の後方にそれぞれ配置される液晶パネルおよび複数の操作用スイッチを前面に搭載する一の実装基板を含むことを特徴とする請求項１記載のタイムスイッチ。
【請求項３】
前記化粧カバーは、前記液晶表示窓および前記複数の操作部に対応する位置にそれぞれの大きさに応じた複数の孔を有する化粧カバー本体と、この前面に貼着されるシートとにより構成され、
前記器体のカバーの各撓み部は、当該撓み部を囲繞するスリットにより両側が挟まれる撓み基部と、この先端に延設されそのスリットにより三方が囲繞される撓み先端部とにより形成され、
前記各撓み先端部は、この撓み基部の一部とともに前記化粧カバー本体の対応する孔内に入るように寸法設定されていることを特徴とする請求項１または２記載のタイムスイッチ。
【請求項４】
前記入／切操作部、および前記化粧カバー本体の各孔のうちその入／切操作部に対応する孔は、前記各操作部を押す人の指先部分よりも大きな寸法に設定されていることを特徴とする請求項３記載のタイムスイッチ。
【請求項５】
前記化粧カバーおよび前記器体は正面視方形状に形成され、
前記化粧カバーおよび前記器体のカバーには、それぞれ、前記液晶表示窓および前記窓孔が、一の象限領域に配置され、前記切タイマ操作部およびこれに対応する撓み部が、前記一の象限領域の対角位置に有る他の象限領域に配置され、前記入／切操作部およびこれに対応する撓み部が、前記一の象限領域と隣り合う両象限領域の一方の象限領域に配置され、少なくとも設定用の操作部を含む残りの操作部およびこれに対応する撓み部が、前記両象限領域の他方の象限領域に配置されていることを特徴とする請求項２から４のいずれかに記載のタイムスイッチ。
【請求項６】
前記一の象限領域の対角位置に有る他の象限領域および前記両象限領域の他方の象限領域内の１つの操作部または隣接ないし連続して並設される２つもしくは３つの操作部は、それぞれ少なくとも所定時間の操作によりまたは少なくとも所定時間の同時操作により所定スイッチとして機能することを特徴とする請求項５記載のタイムスイッチ。
【発明の詳細な説明】
【技術分野】
【０００１】
本発明は、自動オン，オフの所定のタイマ時刻に合わせて、負荷を自動でオン，オフにするタイムスイッチに関するものである。
【背景技術】
【０００２】
図９は従来のタイムスイッチの前面図（ａ）および断面図（ｂ）、図１０は同タイムスイッチの電子回路部の前面図（ａ）および右側面図（ｂ）である。
【０００３】
図９，図１０に示す従来のタイムスイッチは、自動オン，オフの所定のタイマ時刻に合わせて、暖房機器などの負荷を自動でオン，オフにするタイムスイッチであり、ボディ１０およびカバー１１により構成され、２連用の取付枠８に取り付けられて壁に埋設される器体１と、化粧カバー本体２０およびシート２１により構成される化粧カバー２とを備えているほか、複数の端子部（図示せず）と、実装基板４００および液晶プリント板４０１を含む電子回路部４とを器体１内に備えている。なお、４０２はフラットケーブル（ジョイント線）、４００ａはタクトスイッチである。
【０００４】
ここで、４００ｂは切替設定スイッチであり、これによりタイマ時刻を設定するようになっている。タイマ時刻の設定は、タイマ１とタイマ２について行われる。例えば、タイマ１の入時刻および切時刻をそれぞれ６：００および９：３０に設定し、タイマ２の入時刻および切時刻をそれぞれ１８：３０および２２：００に設定する場合には、先ず、切替設定スイッチ４００ｂの操作部２００ａを「タイマ時刻合わせ」の位置に切り替える。そして、「時」、「分」の操作部２００ｂ，２００ｃで６：００に合わせて、「セット・確認」の操作部２００ｄで確定する。続いて、「時」、「分」の操作部２００ｂ，２００ｃで９：３０に合わせて、「セット・確認」の操作部２００ｄで確定する。これにより、タイマ１の入時刻が設定される。以下同様に、タイマ１の切時刻、タイマ２の入時刻およびタイマ２の切時刻を設定し、操作部２００ａを「通常／確認」の位置に切り替えることにより設定が完了する。
【０００５】
このような構成のタイムスイッチでは、例えば、「手動入」の操作部２００ｆを操作することにより負荷をオンにすることができ、「手動切」の操作部２００ｂを操作することにより負荷をオフにすることができる。また、「自動」の操作部２００ｈを操作することにより、タイマ１，２による自動オン，オフのタイマ時刻に合わせて負荷を自動でオン，オフにすることができる。
【０００６】
なお、特許文献１には、液晶表示器が実装される回路基板と、複数個の操作釦を一体に有するシート状部材とを備えるタイムスイッチが開示されている。
【特許文献１】特開２０００−２０６２７８号公報
【発明の開示】
【発明が解決しようとする課題】
【０００７】
しかしながら、図９，図１０に示した従来のタイムスイッチでは、負荷を直ぐに所定時間オンにし、その所定時間の経過後に負荷を自動でオフにしたい場合、例えば、タイマ１を上記所定時間に合わせて設定し直し、「キャンセル」の操作部２００ｅでタイマ２の内容を取り消して、「セット・確認」の操作部２００ｄでその取り消しを確定する操作が必要となる。
【０００８】
なお、上記従来のタイムスイッチでは、図１０（ｂ）に示すように、操作用スイッチとしてのタクトスイッチ４００ａの高さと液晶パネル（切替設定スイッチ）の高さとを揃えるために、実装基板４００と液晶プリント板４０１とを分離し、実装基板４００に各操作用スイッチを実装し、液晶プリント板４０１に切替設定スイッチ４００ｂを実装し、実装基板４００に対して液晶プリント板４０１を所定寸法（同図では２．４［ｍｍ］）後方に配置する構成になっているので、各操作用スイッチの配置位置が実装基板４００内に限られることになり、それら操作用スイッチを、利用者にとって操作のし易いように配置することができないという問題もあった。
【０００９】
本発明は、上記事情に鑑みてなされたものであり、タイマ時刻を設定し直すことなく簡単に、負荷を直ぐに所定時間オンにし、その所定時間の経過後に負荷を自動でオフにすることができるとともに、負荷の電源の消し忘れを防止することのできる負荷操作が可能になるタイムスイッチを提供することを目的とする。
【課題を解決するための手段】
【００１０】
上記課題を解決するための請求項１記載の発明は、負荷および交流電源に接続される複数の端子部と、これら複数の端子部と電気的に接続されて前記負荷と前記交流電源との間に介設されるスイッチ素子を含み、自動オン，オフの所定のタイマ時刻に合わせて、前記スイッチ素子をオン，オフにすることにより、前記負荷を自動でオン，オフにする電子回路部とにより構成され、取付枠に取り付けられて壁に埋設されるタイムスイッチであって、前記負荷をオンにする入操作または前記負荷をオフにする切操作をするための入／切操作部と、操作時点から所定の切タイマ時間後に前記負荷をオフにする切タイマ操作をするための切タイマ操作部とを備え、前記電子回路部は、前記入／切操作部に対する入操作または切操作に応じて、前記スイッチ素子をオンまたはオフにすることにより、前記負荷をオンまたはオフにするほか、前記タイマ時刻に合わせて前記スイッチ素子をオン，オフにする動作並びに前記入操作または前記切操作に応じて前記スイッチ素子をオンまたはオフにする動作よりも優先させて、前記切タイマ操作部に対する切タイマ操作に応じて、この切タイマ操作時点から前記切タイマ時間の間およびこの切タイマ時間の経過後にそれぞれ前記スイッチ素子をオンおよびオフにすることにより、前記切タイマ時間の間およびこの切タイマ時間の経過後に前記負荷をそれぞれオンおよびオフにすることを特徴とする。
【００１１】
この構成では、タイマ時刻に合わせたタイムスイッチのオン，オフ動作、並びに入操作または切操作に応じたタイムスイッチのオンまたはオフ動作に関係なく、切タイマ操作をすれば、切タイマ時間の間は負荷がオンになり、その切タイマ時間の経過後は負荷がオフになるので、タイマ時刻を設定し直すことなく簡単に、負荷を直ぐに所定時間オンにし、その所定時間の経過後に負荷を自動でオフにすることができるとともに、負荷の電源の消し忘れを防止することのできる負荷操作が可能になる。
【００１２】
請求項２記載の発明は、請求項１記載のタイムスイッチにおいて、前面に開口を有する形状のボディおよびこの開口を閉塞するカバーにより構成されて、前記複数の端子部および前記電子回路部を内部に収納し、前記取付枠に取り付けられて壁に埋設される器体と、液晶表示窓、並びに前記入／切操作部および前記切タイマ操作部を含む複数の操作部を有し、前記器体のカバーの前面側に取り付けられる化粧カバーとを備え、前記器体のカバーは、前記化粧カバーの液晶表示窓の後方に窓孔を有するとともに、前記化粧カバーの複数の操作部の後方に、スリットにより三方が囲繞されて前後方向に撓む複数の撓み部をそれぞれ有し、前記電子回路部は、前記器体のカバーの窓孔および複数の撓み部の後方にそれぞれ配置される液晶パネルおよび複数の操作用スイッチを前面に搭載する一の実装基板を含むことを特徴とする。この構成では、液晶パネルおよび複数の操作用スイッチが一の実装基板の前面に搭載されるので、従来のように操作用スイッチを搭載する実装基板と液晶パネルとが分離される構成に比べて、実装基板への液晶パネルおよび複数の操作用スイッチの配置の自由度を向上させることができる。これにより、従来のタイムスイッチでは、液晶パネルとは分離されていた実装基板の操作用スイッチを、液晶パネルの左右いずれの側にも配置することができなかったのに対し、本発明によれば、いずれの操作用スイッチも自由に配置することができるので、複数の操作用スイッチを、利用者にとって操作のし易いように配置することが可能になる。
【００１３】
請求項３記載の発明は、請求項１または２記載のタイムスイッチにおいて、前記化粧カバーは、前記液晶表示窓および前記複数の操作部に対応する位置にそれぞれの大きさに応じた複数の孔を有する化粧カバー本体と、この前面に貼着されるシートとにより構成され、前記器体のカバーの各撓み部は、当該撓み部を囲繞するスリットにより両側が挟まれる撓み基部と、この先端に延設されそのスリットにより三方が囲繞される撓み先端部とにより形成され、前記各撓み先端部は、この撓み基部の一部とともに前記化粧カバー本体の対応する孔内に入るように寸法設定されていることを特徴とする。この構成では、各撓み先端部が、この撓み基部の一部とともに化粧カバー本体の対応する孔内に入ることにより、ほぼ撓み先端部のみがその孔内に入る場合に比べて、撓み先端部および撓み基部の全長を長くすることなく撓み基部を長くすることができるので、撓み先端部を撓み易くすることができる。これにより、化粧カバーの操作部の端が押されたとしても、撓み先端部を介してその後方の操作用スイッチを操作することができるので、操作部の端押しに対応させてタイムスイッチを動作させることが可能になる。
【００１４】
請求項４記載の発明は、請求項３記載のタイムスイッチにおいて、前記入／切操作部、および前記化粧カバー本体の各孔のうちその入／切操作部に対応する孔は、前記各操作部を押す人の指先部分よりも大きな寸法に設定されていることを特徴とする。この構成では、操作部の端押しに対応させてタイムスイッチを動作させることが可能になるほか、入／切操作部が人の指先部分よりも大きいので、操作頻度の高い入／切操作部を操作し易くすることができる。
【００１５】
請求項５記載の発明は、請求項２から４のいずれかに記載のタイムスイッチにおいて、前記化粧カバーおよび前記器体は正面視方形状に形成され、前記化粧カバーおよび前記器体のカバーには、それぞれ、前記液晶表示窓および前記窓孔が、一の象限領域に配置され、前記切タイマ操作部およびこれに対応する撓み部が、前記一の象限領域の対角位置に有る他の象限領域に配置され、前記入／切操作部およびこれに対応する撓み部が、前記一の象限領域と隣り合う両象限領域の一方の象限領域に配置され、少なくとも設定用の操作部を含む残りの操作部およびこれに対応する撓み部が、前記両象限領域の他方の象限領域に配置されていることを特徴とする。この構成では、負荷を直接制御するための入／切操作部と切タイマ操作部とが並べて配置されるので、操作頻度の高い入／切操作部および切タイマ操作部に対する操作をし易くすることができる。
【００１６】
請求項６記載の発明は、請求項５記載のタイムスイッチにおいて、前記一の象限領域の対角位置に有る他の象限領域および前記両象限領域の他方の象限領域内の１つの操作部または隣接ないし連続して並設される２つもしくは３つの操作部は、それぞれ少なくとも所定時間の操作によりまたは少なくとも所定時間の同時操作により所定スイッチとして機能することを特徴とする。この構成では、従来の切替設定スイッチを設ける必要がなくなり、一の実装基板の前面に搭載される各スイッチの高さを揃えることができるほか、２つまたは３つの操作部を片手で操作することができる。
【発明の効果】
【００１７】
本発明によれば、タイマ時刻を設定し直すことなく簡単に、負荷を直ぐに所定時間オンにし、その所定時間の経過後に負荷を自動でオフにすることができるとともに、負荷の電源の消し忘れを防止することのできる負荷操作が可能になる。
【発明を実施するための最良の形態】
【００１８】
（実施形態１）
図１は本発明による実施形態１のタイムスイッチの前面図（ａ）、右側面図（ｂ）および後面図（ｃ）、図２は同タイムスイッチの化粧カバーを外した状態の前面図（ａ）および断面図（ｂ）、図３は同タイムスイッチの内部構造図（ａ）および同タイムスイッチ内の端子部近傍の断面図（ｂ）、図４は同タイムスイッチ内の電子回路部の平面図（ａ）および一の実装基板の右側面図（ｂ）、図５，図６は同タイムスイッチの動作説明図である。
【００１９】
本実施形態１のタイムスイッチは、自動オン，オフの所定のタイマ時刻に合わせて、例えば暖房機器などの負荷を自動でオン，オフにするタイムスイッチであり、図１〜図４に示すように、正面（前面）視方形状の器体１と、正面視方形状の化粧カバー２とを備えているとともに、複数の端子部３，３，３，３（図３（ａ）では切り欠けにより２つのみ図示）と、電子回路部４とを器体１内に備えている。
【００２０】
器体１は、いわゆる２連用の取付枠８に取り付けられて壁に埋設されるものであり、図３（ａ）に示すように、前面に横長矩形状の開口１０ａを有する箱状のボディ１０と、この開口１０ａを閉塞する箱状のカバー１１とにより構成されている。
【００２１】
ボディ１０は、開口縁部１０ｂの各隅に、ねじＳ１（図１参照）の足部挿通用のねじ挿通孔１０ｃを有している一方、内部底面側の四隅のうち下方左右の各隅に、端子部３，３を電気的に絶縁した状態で収納するための収納凹所１０ｄを有している。そして、各収納凹所１０ｄの底部には、図１（ｃ）に示すように、電線挿入孔１０ｅ，１０ｅが、端子部３，３の後方にそれぞれ穿設されているとともに、マイナスドライバなどの先端を挿入するための解除孔１０ｆが、電線挿入孔１０ｅ，１０ｅの中央下方近傍に穿設されている。
【００２２】
カバー１１は、図３（ａ）に示すように、開口縁部１１ｂの各隅に、ねじＳ１を螺着するための溝穴（またはナット付きの溝穴）１１ｃを有している。これにより、ボディ１０の開口縁部１０ｂとカバー１１の開口縁部１１ｂとを合わせて、カバー１１によりボディ１０の開口１０ａを閉塞した状態で、ボディ１０の各ねじ挿通孔１０ｃに各ねじＳ１の足部を挿通し、各ねじＳ１にてボディ１０およびカバー１１をねじ止めすることで、器体１が構成される。
【００２３】
また、カバー１１は、取付枠８に着脱自在に取り付けられ、器体１が壁に埋設されるようになっている。すなわち、図２および図３（ａ）に示すように、カバー１１の左側壁部１１１外面の上部および下部には、それぞれ、取付枠８の左側部８１における上部の取付孔８１ａ，８１ａおよび下部の取付孔８１ｃ、８１ｃに係止する係止爪１１１ａ，１１１ａおよび係止爪１１１ｃ，１１１ｃが突設されている。同様に、カバー１１の右側壁部１１２外面の上部および下部には、それぞれ、取付枠８の右側部８２における上部の取付孔８２ａ，８２ａおよび下部の取付孔８２ｃ、８２ｃに係止する係止爪１１２ａ，１１２ａおよび係止爪１１２ｃ，１１２ｃが突設されている。なお、カバー１１の前面部１１０の構造については、以下の化粧カバー２の後で説明する。
【００２４】
化粧カバー２は、図１（ａ）に示すように、器体１のカバー１１の前面側に取り付けられるものであり、液晶表示窓２ａと、点灯表示窓２ｂと、入／切用の操作部２ｃと、切タイマ用の操作部２ｄと、自動動作選定用の操作部２ｅと、時／分・時刻設定用の操作部２ｆと、セット・確認用の操作部２ｇと、戻し（図では「戻る」）・取り消し用の操作部２ｈとを有している。
【００２５】
より具体的には、化粧カバー２は、液晶表示窓２ａ、点灯表示窓２ｂおよび複数の操作部２ｃ〜２ｈに対応する位置に、それぞれの大きさに応じた複数の孔（図示せず）を有する化粧カバー本体２０と、この前面の外周縁部２０ａ内に貼着される弾力性のシート（銘板）２１とにより構成されている。
【００２６】
化粧カバー本体２０は、後面の四隅に、それぞれ、図２（ａ），図３（ａ）に示すように、器体１のカバー１１における前面部１１０の四隅側に形成された係止孔８ａ，８ａ，８ａ，８ａに係止する係止片（図示せず）を有し、器体１のカバー１１の前面部１１０に着脱自在に取り付けられる構造になっている。なお、従来と同様に、器体１のカバー１１の前面側の取付枠８に着脱自在に取り付けられる構造（図９（ｂ）参照）でもよい。
【００２７】
図１（ａ）に戻って、シート２１は、液晶表示窓２ａおよび点灯表示窓２ｂを除く部分が不透明であり、液晶表示窓２ａは透明、点灯表示窓２ｂは透明（または透光性）になっている。
【００２８】
ここで、上記カバー１１の前面部１１０には、図２（ａ）に示すように、窓孔１１０ａおよび窓孔１１０ｂが、それぞれ化粧カバー２の液晶表示窓２ａおよび点灯表示窓２ｂの後方に穿設されているとともに、スリット（スプーン状の線状の間隙）により三方が囲繞されて前後方向に撓む複数の撓み部１１０ｃ〜１１０ｈが、それぞれ化粧カバー２の複数の操作部２ｃ〜２ｈの後方に形成されている。
【００２９】
また、化粧カバー２およびカバー１１には、図１（ａ），図２（ａ）に示すように、それぞれ、液晶表示窓２ａおよび窓孔１１０ａが、第２象限の領域に配置され、切タイマ用の操作部２ｄおよび撓み部１１０ｄが、第４象限の領域に配置されている。また、点灯表示窓２ｂおよび入／切用の操作部２ｃと窓孔１１０ｂおよび撓み部１１０ｃとが、第３象限の領域に配置されている。さらに、操作部２ｅ〜２ｈおよび撓み部１１０ｅ〜１１０ｈが、第１象限の領域に配置されている。
【００３０】
端子部３は、図３（ｂ）に示すように、ボディ１０の収納凹所１０ｄに収納され、電子回路部４と電気的に接続される端子板３０と、ボディ１０の電線挿入孔１０ｅに挿入された電線の導体線を端子板３０に圧接した状態でその導体線と鎖錠（係止）する鎖錠ばね３１と、ボディ１０の解除孔１０ｆに挿入された上記マイナスドライバなどの先端で押されることにより、上記導体線に鎖錠している鎖錠ばね３１の部分をその導体線から機械的に切り離す解除釦３２とにより構成されている。
【００３１】
ここで、ボディ１０の両収納凹所１０ｄ，１０ｄのうち、一方（例えば左方）の収納凹所１０ｄの電線挿入孔１０ｅ，１０ｅに交流電源からの一対の電線をそれぞれ挿入することにより、それら一対の電線の導体線が一方の収納凹所１０ｄに収納された端子部３，３に電気的に接続され、これら端子部３，３が交流電源と電気的に接続されることになる。また、他方の収納凹所１０ｄの電線挿入孔１０ｅ，１０ｅに負荷からの一対の電線をそれぞれ挿入することにより、それら一対の電線の導体線が他方の収納凹所１０ｄに収納された端子部３，３に電気的に接続され、これら端子部３，３が負荷と電気的に接続されることになる。
【００３２】
電子回路部４は、複数の端子部３，３，３，３と電気的に接続され、上記負荷と交流電源とを電気的に接続ないし切り離すことにより負荷をオン，オフにするものであり、図３（ｂ），図４に示すように、各端子部３の端子板３０と半田にて接続される実装基板４０と、フラットケーブル４１と、これを介して基板４０と電気的に接続される実装基板４２とにより構成されている。
【００３３】
実装基板４０は、各端子部３と接続される各パターンのうち、両収納凹所１０ｄ，１０ｄ内の外側の端子部３，３と接続される両パターンを電気的に接続する電線４０ａと、内側の端子部３，３と接続される両パターン間に接続されるスイッチ素子としてのリレー４０ｂとを実装しているほか、各種回路部を構成する各種部品を実装している。例えば、一方の収納凹所１０ｄ内の端子部３，３と接続される両パターンと接続され、交流電源からの交流電力を直流電力に整流および平滑などして実装基板４０，４２内の各部に供給する電源回路部などが搭載される。この実装基板４０は、電線４０ａおよびリレー４０ｂの側をボディ１０内に収納してパターン面を前方に向けた状態で、ねじＳ２にてボディ１０にねじ止めされる。
【００３４】
実装基板４２は、図２，図４に示すように、器体１のカバー１１の窓孔１１０ａ、窓孔１１０ｂおよび複数の撓み部１１０ｃ〜１１０ｈの後方に、それぞれ配置される液晶パネル４２ａ、ＬＥＤ４２ｂ，４２ｂおよび複数のタクトスイッチ４２ｃ〜４２ｈを前面に搭載している。また、実装基板４２は、図３に示すように、後面のパターン面に実装されたマイコン４２ｉなどにより構成される制御回路部などを搭載し、パターン面を後方に向けた状態で、ねじＳ３にてカバー１１にねじ止めされる。
【００３５】
上記制御回路部は、計時機能などを有し、本タイムスイッチ全般の制御などの処理を実行するものである。例えば、操作部２ｄ〜２ｈなどに対する設定操作によるタクトスイッチ４２ｄ〜４２ｈなどのオンに応じて、設定内容を液晶パネル４２ａに表示し、設定された各種時刻情報などを例えばマイコン４２ｉ内のメモリに記憶する処理が実行される。これにより、例えば計時機能に対して現在時刻が設定される。また、タイマ１（図１（ａ）では「自動１」）用の自動オン，オフの所定のタイマ時刻およびタイマ２（同図では「自動２」）用の自動オン，オフの所定のタイマ時刻も、設定によりそれら所定のタイマ時刻情報がメモリに記憶される。なお、切タイマ用の操作部２ｄは、所定の切タイマ時間設定用スイッチとしても機能する（後述の実施形態４参照）。
【００３６】
また、制御回路部は、入／切用の操作部２ｃに対する入操作に応じて、タクトスイッチ４２ｃがオンになると、リレー４０ｂをオンにすることにより負荷をオンにし、入／切用の操作部２ｃに対する切操作に応じて、タクトスイッチ４２ｃがオンになると、リレー４０ｂをオフにすることにより負荷をオフにする制御を実行する。それら入操作および切操作は、タクトスイッチ４２ｃがオンになる毎に周期的に切り替えられる。
【００３７】
また、制御回路部は、自動動作選定用の操作部２ｅに対する操作に応じて、タクトスイッチ４２ｅがオンになる毎に、図５に示すように、動作モードを、タイマ１，タイマ２両動作モード、タイマ１動作モード、タイマ２動作モード、両動作停止モードに周期的に切り替えて設定するとともに、いずれのモードに設定されたかを示す設定内容を液晶パネル４２ａに表示する処理を実行する。そして、動作モードが、タイマ１，タイマ２両動作モードに設定された場合には、タイマ１用の自動オン，オフの所定のタイマ時刻およびタイマ２用の自動オン，オフの所定のタイマ時刻に合わせて、リレー４０ｂをオン，オフにすることにより、負荷を自動でオン，オフにする制御が実行される。タイマ１動作モードに設定された場合には、タイマ１用のタイマ時刻に合わせて、リレー４０ｂをオン，オフにすることにより、負荷を自動でオン，オフにする制御が実行される。タイマ２動作モードに設定された場合には、タイマ２用のタイマ時刻に合わせて、リレー４０ｂをオン，オフにすることにより、負荷を自動でオン，オフにする制御が実行される。一方、動作モードが、両動作停止モードに設定された場合には、負荷を自動でオン，オフにする制御が停止される。
【００３８】
また、制御回路部は、タイマ時刻に合わせてリレー４０ｂをオン，オフにする動作並びに入操作または切操作に応じてリレー４０ｂをオンまたはオフにする動作よりも優先させて、図６に示すように負荷制御を実行する。すなわち、切タイマ用の操作部２ｄに対する切タイマ操作に応じて、タクトスイッチ４２ｄがオンになると、切タイマ操作時点から切タイマ時間（例えば予め設定された６０分）の間およびこの切タイマ時間の経過後にそれぞれリレー４０ｂをオンおよびオフにすることにより、切タイマ時間の間およびこの切タイマ時間の経過後に負荷をそれぞれオンおよびオフにする制御が実行される。
【００３９】
そして、優先の具体的な仕方については、切タイマ操作の際の動作モードが、入／切用の操作部２ｃに対する入操作または切操作に応じた動作モードであれば、この現在の動作モードよりも切タイマ操作に応じた動作モードの方が優先される。これにより、切タイマ操作によるリレー４０ｂのオフの後（図６（ａ）参照）、入操作がされると、その入操作による動作モードに移行する。また、切タイマ操作の際の動作モードが、タイマ１動作モード（タイマ１，タイマ２両動作モードのタイマ１動作モードを含む）またはタイマ２動作モード（タイマ１，タイマ２両動作モードのタイマ２動作モードを含む）であれば、その現在の動作モードよりも切タイマ操作に応じた動作モードの方が優先される。これにより、切タイマ操作によるリレー４０ｂのオフの後（図６（ｂ），（ｃ）参照）、計時機能による現在時刻が、タイマ１動作モードまたはタイマ２動作モードの新たなタイマ時刻になると、そのタイマ時刻による動作モードに移行する。
【００４０】
さらに、制御回路部は、現在のリレー４０ｂのオン，オフ状態、すなわち負荷のオン，オフ状態を、ＬＥＤ４２ｂ，４２ｂの例えば点灯、消灯、点滅または色分け表示などにより、点灯表示する制御を実行する。
【００４１】
次に、本タイムスイッチの組立手順の一例について説明する。先ず、ボディ１０の各収納凹所１０ｄ内に各端子部３を収納するとともに、実装基板４０の電線４０ａおよびリレー４０ｂの側をボディ１０内に収納し、そのパターン面を前方に向けた状態にして、ねじＳ２にて実装基板４０をボディ１０にねじ止めする。このとき、各端子板３０は、予め実装基板４０に半田付けしておいてもよく、あるいは実装基板４０をボディ１０に収納した後に半田付けをするようにしてもよい。
【００４２】
続いて、実装基板４２をカバー１１後方に収納し、そのパターン面を後方に向けた状態にして、ねじＳ３にて実装基板４２をカバー１１にねじ止めする。この後、ボディ１０の開口縁部１０ｂとカバー１１の開口縁部１１ｂとを合わせて、カバー１１によりボディ１０の開口１０ａを閉塞した状態にし、ボディ１０の各ねじ挿通孔１０ｃに各ねじＳ１の足部を挿通し、各ねじＳ１にてボディ１０およびカバー１１をねじ止めする。
【００４３】
続いて、化粧カバー２の化粧カバー本体２０の各係止片を、器体１のカバー１１における前面部１１０の各係止孔８ａに係止して、化粧カバー２を器体１のカバー１１に着脱自在に取り付ける。これにより、本タイムスイッチの組立が完了する。
【００４４】
次に、本タイムスイッチの動作例について説明する。先ず、入／切用の操作部２ｃに対する操作に応じた本タイムスイッチの動作について説明する。例えば、負荷のオフ時に、入／切用の操作部２ｃで入操作をし、タクトスイッチ４２ｃがオンになると、リレー４０ｂがオンになって負荷がオンになるとともに、ＬＥＤ４２ｂ，４２ｂにより負荷のオン状態が点灯表示される。この後、入／切用の操作部２ｃで切操作をし、タクトスイッチ４２ｃがオンになると、リレー４０ｂがオフになって負荷がオフになるとともに、ＬＥＤ４２ｂ，４２ｂにより負荷のオフ状態が点灯表示される。これ以降、操作部２ｃを押操作する毎に、同様の動作が周期的に繰り返される。
【００４５】
次に、操作部２ｅに対する自動動作選定操作に応じた本タイムスイッチの動作について説明する。自動動作選定用の操作部２ｅで操作をし、タクトスイッチ４２ｅがオンになると、動作モードが、タイマ１，タイマ２両動作モード、タイマ１動作モード、タイマ２動作モードまたは両動作停止モードに設定されるとともに、自動の動作モードの設定内容が液晶パネル４２ａに表示される（図１（ａ）参照）。そして、動作モードが、タイマ１，タイマ２両動作モード、タイマ１動作モードまたはタイマ２動作モードに設定された場合には、タイマ１用の自動オン，オフの所定のタイマ時刻およびタイマ２用の自動オン，オフの所定のタイマ時刻のうち少なくとも一方の所定のタイマ時刻に合わせて、リレー４０ｂがオン，オフになって、負荷が自動でオン，オフになる。一方、動作モードが、両動作停止モードに設定された場合には、負荷を自動でオン，オフにする制御が停止される。
【００４６】
次に、切タイマ用の操作部２ｄに対する操作に応じた本タイムスイッチの動作について説明する。図６（ａ）に示すように、負荷がオフになっている場合に切タイマ操作をし、タクトスイッチ４２ｄがオンになると、切タイマ操作時点から切タイマ時間の間、負荷がオンになり、切タイマ時間の経過後に負荷がオフになる。
【００４７】
図６（ｂ）に示すように、負荷が、自動でオンになっており、引き続き切タイマ操作による切タイマ時間よりも長い時間（同図では２時間）オンになる場合に、切タイマ操作をし、タクトスイッチ４２ｄがオンになると、切タイマ操作時点から切タイマ時間の間、負荷が引き続きオンになり、切タイマ時間の経過後に負荷がオフになる。これにより、自動オン時間を切タイマ操作による切タイマ時間に短縮することができる。
【００４８】
図６（ｃ）に示すように、負荷が、自動でオンになっており、引き続き切タイマ操作による切タイマ時間よりも短い時間（同図では３０分）オンになる場合に、切タイマ操作をし、タクトスイッチ４２ｄがオンになると、切タイマ操作時点から切タイマ時間の間、負荷が引き続きオンになり、切タイマ時間の経過後に負荷がオフになる。これにより、自動オン時間を切タイマ操作による切タイマ時間に延長することができる。
【００４９】
以上、本実施形態１によれば、タイマ１，２のタイマ時刻に合わせたタイムスイッチのオン，オフ動作、並びに入操作または切操作に応じたタイムスイッチのオンまたはオフ動作に関係なく、切タイマ操作をすれば、切タイマ時間の間は負荷がオンになり、その切タイマ時間の経過後は負荷がオフになるので、タイマ１，２のタイマ時刻を設定し直すことなく簡単に、負荷を直ぐに所定時間オンにし、その所定時間の経過後に負荷を自動でオフにすることができるとともに、負荷の電源の消し忘れを防止することのできる負荷操作が可能になる。
【００５０】
また、液晶パネル４２ａおよび複数の操作用スイッチとしてのタクトスイッチ４２ｃ〜４２ｈが、一の実装基板４２の前面に搭載されるので、従来のように操作用スイッチを搭載する実装基板と液晶パネルとが分離される構成に比べて、実装基板４２への液晶パネル４２ａおよび複数の操作用スイッチの配置の自由度を向上させることができる。これにより、従来のタイムスイッチでは、液晶パネルとは分離されていた実装基板の操作用スイッチを、液晶パネルの左右いずれの側にも配置することができなかったのに対し、本実施形態１によれば、いずれの操作用スイッチも自由に配置することができるので、複数の操作用スイッチを、利用者にとって操作のし易いように配置することが可能となる。
【００５１】
また、負荷を直接制御するための入／切用の操作部２ｃと切タイマ用の操作部２ｄとが左右方向に並べて配置されるとともに、設定機能をも兼ねる切タイマ用の操作部２ｄが、少なくとも設定用の残りの操作部２ｅ〜２ｈと上下方向に並べて配置されるので、各操作部を機能別に配置することができ、操作をし易くすることができるとともに、操作頻度の高い入／切用の操作部２ｃおよび切タイマ用の操作部２ｄに対する操作をし易くすることができる。
【００５２】
さらに、図２（ａ），図３（ａ）に示すように、液晶パネル４２ａおよび各操作部に対応する領域外の領域Ａ，Ｂに、リレー４０ｂおよびツェナーダイオード４２ｊなどの発熱体を配置していることにより、液晶パネル４２ａおよび各操作部に発熱体の熱を伝わり難くすることができる。これにより、液晶表示の安定化が可能になるとともに、熱により操作感が悪くなることを防止することができる。
【００５３】
（実施形態２）
図７は本発明による実施形態２のタイムスイッチにおける入／切用の操作部の具体構造説明図（ａ）および切タイマ用の操作部の具体構造説明図（ｂ）である。
【００５４】
本実施形態２のタイムスイッチは、実施形態１のタイムスイッチにおいて、図７に示すように、器体１のカバー１１の各撓み部が、当該撓み部を囲繞するスリットＳＬにより両側が挟まれる撓み基部Ｃと、この先端に延設されそのスリットＳＬにより三方が囲繞される撓み先端部Ｄとにより形成され、各撓み先端部Ｄが、この撓み基部Ｃの一部とともに化粧カバー本体２０の対応する孔内に入るように寸法設定されていることを特徴とする。
【００５５】
すなわち、図７（ａ）に示すように、入／切用の操作部２ｃ後方の撓み部１１０ｃは、撓み先端部Ｄが、この撓み基部Ｃの一部とともに化粧カバー本体２０の対応する孔２０ｃ内に入るように寸法設定されている。
【００５６】
また、図７（ｂ）に示すように、切タイマ用の操作部２ｄ後方の撓み部１１０ｄは、撓み先端部Ｄが、この撓み基部Ｃの一部とともに化粧カバー本体２０の対応する孔２０ｄ内に入るように寸法設定されている。これと同様に、操作部２ｅ〜２ｈ後方の各撓み部も寸法設定される。
【００５７】
以上、本実施形態２によれば、各撓み先端部Ｄが、この撓み基部Ｃの一部とともに化粧カバー本体２０の対応する孔内に入ることにより、ほぼ撓み先端部のみがその孔内に入る場合に比べて、撓み先端部Ｄおよび撓み基部Ｃの全長を長くすることなく撓み基部Ｃを長くすることができるので、撓み先端部Ｄを撓み易くすることができる。これにより、化粧カバー２の操作部の端が押されたとしても、撓み先端部Ｄを介してその後方のタクトスイッチを操作することができるので、各操作部の端押しに対応させてタイムスイッチを動作させることが可能になる。
【００５８】
（実施形態３）
図８は本発明による実施形態３のタイムスイッチにおける入／切用の操作部の具体構造説明図（ａ）および切タイマ用の操作部の具体構造説明図（ｂ）である。
【００５９】
本実施形態３のタイムスイッチは、実施形態２のタイムスイッチにおいて、図８に示すように、入／切用の操作部２ｃ（図１（ａ）参照）、および化粧カバー本体２０の各孔のうち入／切用の操作部２ｃに対応する孔２０ｃが、各操作部を押す人の指先部分よりも大きな寸法に設定されている一方、操作部２ｃ以外の各操作部（図１（ａ）参照）、およびこれらに対応する各孔が、各操作部を押す人の指先部分程度の寸法に設定されていることを特徴とする。
【００６０】
すなわち、図８（ａ）に示すように、入／切用の操作部２ｃおよびこれに対応する化粧カバー本体２０の孔２０ｃは、各操作部を押す人の指先部分の２倍程度の寸法に設定されている。具体的には、孔２０ｃは、２４．５（Ｗ）×１９．４（Ｈ）［ｍｍ］程度の寸法に設定され、操作部２ｃ後方の撓み部１１０ｃの撓み先端部Ｄは、その半分ないし６割程度、例えば１４．０（Ｗ）×１２．０（Ｈ）［ｍｍ］の寸法に設定される。
【００６１】
一方、図８（ｂ）に示すように、切タイマ用の操作部２ｄおよびこれに対応する化粧カバー本体２０の孔２０ｄは、各操作部を押す人の指先部分程度の寸法に設定されている。具体的には、孔２０ｄは、φ１４［ｍｍ］程度の寸法に設定され、操作部２ｄ後方の撓み部１１０ｄの撓み先端部Ｄは、その半分ないし６割程度、例えばφ６［ｍｍ］の寸法に設定される。これと同様に、操作部２ｅ〜２ｈおよびこれらに対応する化粧カバー本体２０の各孔も寸法設定される。
【００６２】
以上、本実施形態３によれば、各操作部の端押しに対応させてタイムスイッチを動作させることが可能になるほか、入／切用の操作部２ｃが人の指先部分よりも大きいので、操作頻度の高い入／切用の操作部２ｃを操作し易くすることができる。
【００６３】
（実施形態４）
本発明による実施形態４のタイムスイッチは、実施形態１〜３のいずれかのタイムスイッチにおいて、第１，第４象限の領域内の、１つの操作部または隣接ないし連続して並設される３つの操作部が、それぞれ少なくとも所定時間（例えば３秒）の操作（長押し）によりまたは少なくとも所定時間の同時操作により所定スイッチとして機能することを特徴とする。
【００６４】
具体的には、切タイマ用の操作部２ｄは、長押しによりタクトスイッチ４２ｄが少なくとも所定時間オンになると、１分〜９９分の範囲内で、１分間隔で設定可能な上述の切タイマ時間の設定モードに移行する。例えば、切タイマ時間を６０分に設定する場合には、操作部２ｄで切タイマ時間を６０分に合わせてセット・確認用の操作部２ｇで確定する。これにより、切タイマ時間が６０分に設定されるとともに、液晶パネル４２ａに現在時刻が表示される。この後、切タイマ用の操作部２ｄを操作すれば、切タイマ動作モードに移行する（実施形態１参照）。
【００６５】
自動動作選定用の操作部２ｅは、長押しによりタクトスイッチ４２ｅが少なくとも所定時間オンになると、上述のタイマ１用の自動オン，オフの所定のタイマ時刻およびタイマ２用の自動オン，オフの所定のタイマ時刻の設定モードに移行する。そして、例えば、タイマ１の入時刻および切時刻をそれぞれ６：００および９：３０に設定し、タイマ２の入時刻および切時刻をそれぞれ１８：３０および２２：００に設定する場合には、先ず、時／分・時刻設定用の操作部２ｆで「時」を「６」に合わせてセット・確認用の操作部２ｇで確定する。続いて、操作部２ｆで「分」を「００」に合わせてセット・確認用の操作部２ｇで確定する。これにより、タイマ１の入時刻が設定される。以下同様の操作により、タイマ１の切時刻、タイマ２の入時刻およびタイマ２の切時刻が設定される。そして、タイマ２の切時刻が設定されれば、自動的に自動動作モードに移行するとともに、液晶パネル４２ａに現在時刻が表示される。
【００６６】
操作部２ｄ，２ｅ，２ｈは、長押しによりタクトスイッチ４２ｄ，４２ｅ，４２ｈが少なくとも所定時間オンになると、リセットスイッチとして機能することにより、電子回路部４の制御回路部が初期化される。
【００６７】
このほか、操作部２ｄ，２ｅ，２ｆは、長押しによりタクトスイッチ４２ｄ，４２ｅ，４２ｆが少なくとも所定時間オンになると、他の設定モード用スイッチとして機能する。
【００６８】
以上、本実施形態５によれば、第１象限および第４象限の領域内の１つの操作部または隣接ないし連続して並設される３つの操作部が、それぞれ少なくとも所定時間の操作によりまたは少なくとも所定時間の同時操作により所定スイッチとして機能するので、従来の切替設定スイッチ（図１０の４００ｂ）を設ける必要がなくなり、一の実装基板４２の前面に搭載される各スイッチの高さを揃えることができるほか、３つの操作部を片手で操作することができる。
【００６９】
なお、実施形態５では、第１象限および第４象限の領域内の隣接ないし連続して並設される３つの操作部が、少なくとも所定時間の同時操作により所定スイッチとして機能する構成になっているが、第１象限および第４象限の領域内の隣接ないし連続して並設される２つの操作部が、少なくとも所定時間の同時操作により所定スイッチとして機能する構成にしてもよい。
【図面の簡単な説明】
【００７０】
【図１】本発明による実施形態１のタイムスイッチの前面図（ａ）、右側面図（ｂ）および後面図（ｃ）である。
【図２】同タイムスイッチの化粧カバーを外した状態の前面図（ａ）および断面図（ｂ）である。
【図３】同タイムスイッチの内部構造図（ａ）および同タイムスイッチ内の端子部近傍の断面図（ｂ）である。
【図４】同タイムスイッチ内の電子回路部の平面図（ａ）および一の実装基板の右側面図（ｂ）である。
【図５】同タイムスイッチの自動動作説明図である。
【図６】同タイムスイッチにおける切タイマ用の操作部を操作したときの単独動作（ａ）、短縮動作（ｂ）および延長動作（ｃ）の説明図である。
【図７】本発明による実施形態２のタイムスイッチにおける入／切用の操作部の具体構造説明図（ａ）および切タイマ用の操作部の具体構造説明図（ｂ）である。
【図８】本発明による実施形態３のタイムスイッチにおける入／切用の操作部の具体構造説明図（ａ）および切タイマ用の操作部の具体構造説明図（ｂ）である。
【図９】従来のタイムスイッチの前面図（ａ）および断面図（ｂ）である。
【図１０】同タイムスイッチの電子回路部の前面図（ａ）および右側面図（ｂ）である。
【符号の説明】
【００７１】
１  器体
１０  ボディ；１０ａ  開口；１０ｂ  開口縁部；１０ｃ  ねじ挿通孔；１０ｄ  収納凹所；１０ｅ  電線挿入孔；１０ｆ  解除孔
１１  カバー；１１ｂ  開口縁部；１１ｃ  溝穴；
１１０  前面部；１１０ａ，１１０ｂ  窓孔；１１０ｃ〜１１０ｈ  撓み部
１１１  左側壁部
１１２  右側壁部
２  化粧カバー；２ａ  液晶表示窓；２ｂ  点灯表示窓；２ｃ〜２ｈ  操作部
２０  化粧カバー本体；２０ａ  外周縁部；２０ｃ，２０ｄ  孔
２１  シート
３  端子部；３０  端子板；３１  鎖錠ばね；３２  解除釦
４  電子回路部
４０  実装基板；４０ａ  電線；４０ｂ  リレー
４１  フラットケーブル
４２  実装基板；４２ａ  液晶パネル；４２ｂ，４２ｂ  ＬＥＤ；４２ｃ〜４２ｈ  タクトスイッチ；４２ｉ  マイコン；４２ｊ  ツェナーダイオード
８  取付枠；８１  左側部；８２  右側部
【図１】
2005308496.tif 000003
【図２】
2005308496.tif 000004
【図３】
2005308496.tif 000005
【図４】
2005308496.tif 000006
【図５】
2005308496.tif 000007
【図６】
2005308496.tif 000008
【図７】
2005308496.tif 000009
【図８】
2005308496.tif 000010
【図９】
2005308496.tif 000011
【図１０】
2005308496.tif 000012